(57)【要約】【課題】  複数のＨＤＭＩインタフェース部からの指示により、各々独立した処理を行なう再生装置及び再生方法を提供する。【解決手段】  第１及び第２のＨＤＭＩインタフェース部１１，１２と、映像再生部１５と、再生部からの映像信号に特定画像を合成して出力する第１及び第２合成部１３，１４と、第１のＨＤＭＩインタフェース部からの制御信号を受けると、第１の合成部１３を用いて、再生部からの映像信号に特定画像を合成した合成画像を第１のＨＤＭＩインタフェース部に供給し、第２のＨＤＭＩインタフェース部からの制御信号を受けると、第２の合成部１４を用いて合成した合成画像を第２のＨＤＭＩインタフェース部に供給する制御部１７をもつ再生装置。【選択図】図１
2009130541.tif 000002
【特許請求の範囲】
【請求項１】
外部機器と通信を行なう第１のＨＤＭＩインタフェース部と、
外部機器と通信を行なう第２のＨＤＭＩインタフェース部と、
映像信号を再生する再生部と、
前記再生部からの映像信号に特定画像を合成して出力する第１の合成部と、
前記再生部からの映像信号に特定画像を合成して出力する第２の合成部と、
前記第１のＨＤＭＩインタフェース部からの制御信号を受けると、前記第１の合成部を用いて、前記再生部からの映像信号に特定画像を合成した合成画像を前記第１のＨＤＭＩインタフェース部に供給し、前記第２のＨＤＭＩインタフェース部からの制御信号を受けると、前記第２の合成部を用いて、前記再生部からの映像信号に特定画像を合成した合成画像を前記第２のＨＤＭＩインタフェース部に供給するべく制御する制御部
を具備することを特徴とする再生装置。
【請求項２】
放送信号から番組表情報を抽出するチューナ部と、
前記チューナ部からの前記番組表情報に基づいて番組表画像信号を生成するＧＵＩ画像生成部を更に有し、
前記制御部は、
前記第１のＨＤＭＩインタフェース部からの指示信号を受けると、前記第１の合成部を用いて、前記再生部からの映像信号に前記ＧＵＩ画像生成部からの前記番組表画像信号を合成した合成画像を前記第１のＨＤＭＩインタフェース部に供給し、
前記第２のＨＤＭＩインタフェース部からの指示信号を受けると、前記第２の合成部を用いて、前記再生部からの映像信号に前記ＧＵＩ画像生成部からの前記番組表画像信号を合成した合成画像を前記第２のＨＤＭＩインタフェース部に供給するべく制御することを特徴とする請求項１記載の再生装置。
【請求項３】
外部機器と通信を行なう第３のＨＤＭＩインタフェース部と、
前記再生部からの映像信号に特定画像を合成して出力する第３の合成部を更に具備し、
前記制御部は、前記第３のＨＤＭＩインタフェース部からの制御信号を受けると、前記第３の合成部を用いて、前記再生部からの映像信号に特定画像を合成した合成画像を前記第３のＨＤＭＩインタフェース部に供給するべく制御することを特徴とする請求項１記載の再生装置。
【請求項４】
映像信号を記録領域に記録する記録部と、
放送信号から番組表情報を抽出するチューナ部を更に具備し、
前記制御部は、前記第１のＨＤＭＩインタフェース部からの指示信号を受けると、前記第１の合成部を用いて、前記記録部の映像信号への特定画像の合成及び、前記第１のＨＤＭＩインタフェース部への合成画像の供給処理を行い、
前記制御部は、前記第２のＨＤＭＩインタフェース部からの指示信号を受けると、前記第２の合成部を用いて、前記記録部の映像信号への特定画像の合成及び、前記第２のＨＤＭＩインタフェース部への合成画像の供給処理を行なうことを特徴とする請求項１記載の再生装置。
【請求項５】
映像信号を記録領域に記録する記録部と、
放送信号から番組表情報を抽出するチューナ部を更に具備し、
前記制御部は、第１の動作系統として、前記第１のＨＤＭＩインタフェース部からの指示信号に応じて、前記第１の合成部を用いて、前記記録部の映像信号への特定画像の合成及び、前記第１のＨＤＭＩインタフェース部への合成画像の供給処理を行い、
第２の動作系統として、前記第２のＨＤＭＩインタフェース部からの指示信号に応じて、前記第２の合成部を用いて、前記記録部の映像信号への特定画像の合成及び、前記第２のＨＤＭＩインタフェース部への合成画像の供給処理を行い、
前記第１の動作系統と第２の動作系統の内の一方で映像信号の再生処理が行なわれている際に、他方の動作系統で表示指示があっても、前記一方の動作系統では再生処理を中断せずに継続することを特徴とする請求項１記載の再生装置。
【請求項６】
外部機器と通信を行なう第１のＨＤＭＩインタフェース部と、
外部機器と通信を行なう第２のＨＤＭＩインタフェース部と、
映像信号を再生する再生部と、
前記再生部からの映像信号に特定画像を合成して出力する第１の合成部と、
前記再生部からの映像信号に特定画像を合成して出力する第２の合成部を具備する再生装置に対して、
前記第１のＨＤＭＩインタフェース部からの制御信号を検出すると、
前記第１の合成部を用いて、前記再生部からの映像信号に特定画像を合成した合成画像を前記第１のＨＤＭＩインタフェース部に供給し、
前記第２のＨＤＭＩインタフェース部からの制御信号を検出すると、
前記第２の合成部を用いて、前記再生部からの映像信号に特定画像を合成した合成画像を前記第２のＨＤＭＩインタフェース部に供給することを特徴とする再生方法。
【請求項７】
前記再生装置は、放送信号から番組表情報を抽出するチューナ部と、前記チューナ部からの前記番組表情報に基づいて番組表画像信号を生成するＧＵＩ画像生成部を更に有し、
前記第１のＨＤＭＩインタフェース部からの指示信号を検出すると、
前記第１の合成部を用いて、前記再生部からの映像信号に前記ＧＵＩ画像生成部からの前記番組表画像信号を合成した合成画像を前記第１のＨＤＭＩインタフェース部に供給し、
前記第２のＨＤＭＩインタフェース部からの指示信号を検出すると、
前記第２の合成部を用いて、前記再生部からの映像信号に前記ＧＵＩ画像生成部からの前記番組表画像信号を合成した合成画像を前記第２のＨＤＭＩインタフェース部に供給することを特徴とする請求項６記載の再生方法。
【請求項８】
前記再生装置は、外部機器と通信を行なう第３のＨＤＭＩインタフェース部と、
前記再生部からの映像信号に特定画像を合成して出力する第３の合成部を更に具備し、
前記第３のＨＤＭＩインタフェース部からの制御信号を検出すると、
前記第３の合成部を用いて、前記再生部からの映像信号に特定画像を合成した合成画像を前記第３のＨＤＭＩインタフェース部に供給することを特徴とする請求項６記載の再生方法。
【請求項９】
前記再生装置は、映像信号を記録領域に記録する記録部と、放送信号から番組表情報を抽出するチューナ部を更に具備し、
前記第１のＨＤＭＩインタフェース部からの指示信号を検出すると、
前記第１の合成部を用いて、前記記録部の映像信号への特定画像の合成及び、前記第１のＨＤＭＩインタフェース部への合成画像の供給処理を行い、
前記第２のＨＤＭＩインタフェース部からの指示信号を検出すると、
前記第２の合成部を用いて、前記記録部の映像信号への特定画像の合成及び、前記第１のＨＤＭＩインタフェース部への合成画像の供給処理を行なうことを特徴とする請求項６記載の再生方法。
【請求項１０】
前記再生装置は、映像信号を記録領域に記録する記録部と、放送信号から番組表情報を抽出するチューナ部を更に具備し、
第１の動作系統として、前記第１のＨＤＭＩインタフェース部からの指示信号に応じて、前記第１の合成部を用いて、前記記録部の映像信号への特定画像の合成及び、前記第１のＨＤＭＩインタフェース部への合成画像の供給処理を行い、
第２の動作系統として、前記第２のＨＤＭＩインタフェース部からの指示信号に応じて、前記第２の合成部を用いて、前記記録部の映像信号への特定画像の合成及び、前記第２のＨＤＭＩインタフェース部への合成画像の供給処理を行い、
前記第１の動作系統と第２の動作系統の内の一方で映像信号の再生処理が行なわれている際に、他方の動作系統で表示指示があっても、前記一方の動作系統では再生処理を中断せずに継続することを特徴とする請求項６記載の再生方法。
【発明の詳細な説明】
【技術分野】
【０００１】
この発明は、複数のＨＤＭＩインタフェース部をもつ再生装置に関し、特に、ＨＤＭＩインタフェース部毎にそれぞれ独立した再生処理等を行なうことができる再生装置及び再生方法に関する。
【背景技術】
【０００２】
最近、デジタル映像信号を扱う映像再生装置が非常に普及してきており、更に多くの付加価値が与えられたものが知られている。この一例として、ネットワーク機能が与えられたものがあり、例えば、ＨＤＭＩインタフェースを備えた映像再生装置が知られている。
【０００３】
特許文献１には、ＨＤＭＩやＩＥＥＥ１３９４により接続された複数の外部機器（ＴＶ）からコマンド制御を受けた場合に、制御コマンドに対応して動作するＡＶネットワーク対応の録画再生機器が開示されている。
【特許文献１】特開２００５−１８４０７９号公報
【発明の開示】
【発明が解決しようとする課題】
【０００４】
しかし、特許文献１の従来技術では、インタフェースを介して複数の外部機器（ＴＶ）から受けたコマンドで動作を行なう場合、一方のインタフェースからの指示でレコーダ再生や放送番組視聴をしている際に、他方のインタフェースから違う指示がありこれに従おうとすると、一方の再生処理等に影響が出てしまい、番組表の表示処理や予約処理ができないという問題がある。
【０００５】
本発明は、複数のＨＤＭＩインタフェース部からの指示により、独立したＧＵＩ表示処理を行なう再生装置及び再生方法を提供することを目的とする。
【課題を解決するための手段】
【０００６】
課題を解決するための一実施形態は、
外部機器と通信を行なう第１のＨＤＭＩインタフェース部（１１）と、
外部機器と通信を行なう第２のＨＤＭＩインタフェース部（１２）と、
映像信号を再生する再生部（１５）と、
前記再生部からの映像信号に特定画像を合成して出力する第１の合成部（１３）と、
前記再生部からの映像信号に特定画像を合成して出力する第２の合成部（１４）と、
前記第１のＨＤＭＩインタフェース部からの制御信号を受けると、前記第１の合成部（１３）を用いて、前記再生部からの映像信号に特定画像を合成した合成画像を前記第１のＨＤＭＩインタフェース部に供給し、前記第２のＨＤＭＩインタフェース部からの制御信号を受けると、前記第２の合成部（１４）を用いて、前記再生部からの映像信号に特定画像を合成した合成画像を前記第２のＨＤＭＩインタフェース部に供給するべく制御する制御部（１７）を具備することを特徴とする再生装置である。
【発明の効果】
【０００７】
複数のＨＤＭＩインタフェース部ごとに与えられる命令に応じて、独立したＧＵＩ表示処理等が可能となる再生装置を提供する。
【発明を実施するための最良の形態】
【０００８】
以下、この発明の実施の形態について図面を参照して詳細に説明する。
【０００９】
＜本発明の一実施形態である記録再生装置＞
初めに、図面を用いて本発明の一実施形態である再生装置の構成の一例を以下に説明する。図１は、本発明の一実施形態に係る記録再生装置の構成の一例を示すブロック図である。図２は、同じく記録再生装置が有するＨＤＭＩ入力端のコネクタピン配置の一例を示す配置図である。
【００１０】
（構成）
記録再生装置１は、図１に示すように、複数のＨＤＭＩインタフェース部１１、ＨＤＭＩインタフェース部１２を有しており、更に、このＨＤＭＩインタフェース部にそれぞれ対応して、複数の映像合成／切替部１３、映像合成／切替部１４を有している。
【００１１】
この複数のＨＤＭＩインタフェース部１１、ＨＤＭＩインタフェース部１２には、一例として、それぞれ、ＨＤＭＩ−ＣＥＣ対応のテレビジョン装置Ｔ１、テレビジョン装置Ｔ２が接続されている。ここで、このテレビジョン装置Ｔ１、テレビジョン装置Ｔ２は、それぞれの操作を行なう第１のリモコン２１と第２のリモコン２２を有している。
【００１２】
更に、記録再生装置１は、全体の動作を司る制御部１７を有しており、これに接続されて、デジタル放送及びアナログ放送の各種を受信可能であり、更に、放送信号に重畳された番組情報をも受信可能なチューナ部１９と、コンテンツ情報等の映像情報等を記憶領域に記録する記録部１８と、記録された映像信号やチューナ１９からの映像信号を再生する映像再生部１５と、ユーザが操作するための操作部２０と、番組表等のＧＵＩ画像を生成するＧＵＩ画像生成部１６を有する。また、操作部２０は、リモコン２３からでも操作することができる。
【００１３】
また、制御部１７は、ＨＤＭＩ制御信号の受信処理を行なうＨＤＭＩ制御信号受信処理部１７−１と、ＨＤＭＩ制御信号受信端子の検出処理を行なうＨＤＭＩ制御信号受信端子検出処理部１７−２と、映像合成／切替部を制御する映像合成／切替制御処理部１７−３を内蔵している。
【００１４】
・ＨＤＭＩ端子
又、このＨＤＭＩインタフェース部１１は、図２に示すようなコネクタピン配列を有している。ここでは、１３ピンのＣＥＣ（Consumer Electronics Control）により、コマンド等の制御信号が外部装置から供給される。
【００１５】
（動作）
次に、このような構成をもつ記録再生装置１の処理動作について、フローチャートを用いて、以下に詳細に説明する。図３は、同じく記録再生装置の処理動作の一例を示すフローチャートである。
【００１６】
なお、以下の図３及び図５のフローチャートの各ステップは、回路ブロックに置き換えることができ、従って、各フローチャートのステップは、全てブロックに定義しなおすことが可能である。
【００１７】
初めに、記録再生装置１の基本動作について、以下に説明を行なう。すなわち、一例として、ユーザのリモコン２３等の操作により、制御部１７の制御下において、チューナ部１９により受信した例えばテレビ放送等の放送信号に基づく映像信号が、映像再生部１５によって再生される。再生された映像信号が、例えば、映像合成／切替部１３と映像合成／切替部１４をそれぞれ経由し、ＨＤＭＩインタフェース部１１とＨＤＭＩインタフェース部１２を経由して、テレビジョン装置Ｔ１とテレビジョン装置Ｔ２に供給される。テレビジョン装置Ｔ１とテレビジョン装置Ｔ２の各画面には、上述した放送信号に基づく同一の映像がそれぞれ表示されている。
【００１８】
このような状況で、例えば、図３のフローチャートに従って、記録再生装置１が、テレビジョン装置Ｔ２の側から第２リモコン２２等で番組表の表示指示を行なって予約処理等をする場合の動作を説明する。
【００１９】
すなわち、制御部１７のＨＤＭＩ制御信号受信処理部１７−１は、ＨＤＭＩインタフェース部１１，１２等のＣＥＣ等から制御信号が供給されるかどうかを監視している。制御部１７のＨＤＭＩ制御信号受信処理部１７−１は、ＨＤＭＩインタフェース部１１，１２等のＣＥＣ等から制御信号が供給されると、これを受信し解析する（ステップＳ１１）。
【００２０】
次に、制御部１７のＨＤＭＩ制御信号受信処理部１７−１は、この制御信号の処理がＨＤＭＩの動作系統ごとに行なうべき処理、例えば、番組表を画面表示して行なう予約処理や、設定画面を表示して行なう設定処理であるかどうかを判断する（ステップＳ１２）。
【００２１】
そのような処理でない処理、例えば、現在再生しているコンテンツの早送りや巻戻し処理であれば、制御部１７のＨＤＭＩ制御信号受信処理部１７−１は、単に与えられた制御信号に応じた処理を行なう（ステップＳ２１）。そして、処理結果を全てのＨＤＭＩインタフェース部１１，１２に出力する（ステップＳ２２）。
【００２２】
ステップＳ１２で、制御部１７のＨＤＭＩ制御信号受信処理部１７−１は、この制御信号の処理がＨＤＭＩの動作系統ごとに行なうべき処理、例えば、ＧＵＩ画像生成部１６が生成した番組表画像や、初期設定画面の画像を映像合成／切替部１４で合成する処理であると判断すると、ステップＳ１３の処理に進む。
【００２３】
そして、ＨＤＭＩ制御信号受信端子検出処理部１７−２は、ＨＤＭＩ制御信号受信処理部１７−１が受信した制御信号が、どのＨＤＭＩインタフェース部１１，１２であるかを判断する。ＨＤＭＩ制御信号受信端子検出処理部１７−２は、例えば、この制御信号がＨＤＭＩインタフェース部１１を経由して供給されたことを検知する（ステップＳ１３）。
【００２４】
すると、制御部１７の映像合成／切替制御処理部１７−３は、例えば、チューナ部１９から取得した番組情報に基づいてＧＵＩ画像生成部１６で生成した画像情報を、映像合成／切替部１４には供給せず、映像合成／切替部１３だけに選択的に供給する（ステップＳ１４）。そして、合成画像は、第１ＨＤＭＩ端子である、ＨＤＭＩインタフェース部１１にのみ供給される（ステップＳ１５）。
【００２５】
同様に、ＨＤＭＩ制御信号受信端子検出処理部１７−２は、例えば、この制御信号がＨＤＭＩインタフェース部１２を経由して供給されたことを検知する（ステップＳ１３）。
【００２６】
すると、制御部１７の映像合成／切替制御処理部１７−３は、例えば、チューナ部１９から取得した番組情報に基づいてＧＵＩ画像生成部１６で生成した画像情報を、映像合成／切替部１３には供給せず、映像合成／切替部１４だけに選択的に供給する（ステップＳ１６）。そして、合成画像は、第２ＨＤＭＩ端子である、ＨＤＭＩインタフェース部１２にのみ供給される（ステップＳ１７）。
【００２７】
ここで、選択的に与えられる合成画像としては、初期設定処理のための画像信号や、上述した番組表などが考えられるがこれに限定されるものではない。
【００２８】
番組表画像は単に表示する場合もあるが、表示した番組表画像に基づいて、予約処理を行なうことも好適である。
【００２９】
このように、映像合成／切替部１３，１４をＨＤＭＩインタフェース部１１，１２に対応させて設け、制御部１７で上述した制御を行なうことで、ＧＵＩ画面を用いて行なう処理、例えば、番組表表示や、予約処理、初期設定処理等の処理がＨＤＭＩインタフェース毎にローコストで実現することができる。
【００３０】
すなわち、一台の記録再生装置１に対し、１階のテレビジョン装置Ｔ１と２階のテレビジョン装置Ｔ２で同一の番組を視聴している状況において、２階のテレビジョン装置Ｔ２からの第２リモコン２２を操作することで、２階のテレビジョン装置Ｔ２だけに番組表や予約画面を表示し、録画予約を追加・編集する処理が可能となる。この間、１階のテレビジョン装置Ｔ１の再生処理は中断することなく継続するものである。
【００３１】
つまり、この実施形態によれば、記録再生装置の再生や放送番組視聴に影響させることなく、ＧＵＩ画像を用いた処理、例えば、番組表の表示や予約処理、初期設定処理等ができる。記録再生装置でテレビジョン装置からの制御信号を複数受け取る場合に、制御信号を受け取った側のテレビジョン装置にのみ処理内容を表示させることが可能になる。従って、一方のテレビジョン装置で番組視聴などしている場合に、他方のテレビジョン装置から予約処理等の制御信号が送られてきた場合に、制御信号を送っていない側のテレビジョン装置では、番組視聴が継続させることが可能となる。
【００３２】
＜他の実施形態である記録再生装置＞
次に、他の実施形態である記録再生装置を図面を用いて詳細に説明する。
【００３３】
図４は、同じく記録再生装置の構成の他の一例を示すブロック図である。図５は、同じく記録再生装置の処理動作の他の一例を示すフローチャートである。
【００３４】
なお、図４は図１と異なる構成のみを説明して共通部分を省略する。同様に、図５は図３と異なる構成のみを説明して共通部分の説明を省略する。
【００３５】
すなわち、図４が示す実施形態では、更に、ＨＤＭＩインタフェース部が２つから３つ以上となった場合について説明している。この場合も、ＨＤＭＩインタフェース部に対応した映像合成／切替部１３，１４，３２を設けることで、同様に、ＧＵＩ画面を用いて行なう処理、例えば、番組表表示や、予約処理、初期設定処理等の処理がＨＤＭＩインタフェース毎にローコストで実現することができる。
【００３６】
図５のフローチャートにおいては、ＨＤＭＩ制御信号受信端子検出処理部１７−２が、制御信号がＨＤＭＩインタフェース部３１を経由して供給されたことを検知すると（ステップＳ１３）、第３のＨＤＭＩ端子の制御信号に対する処理を行なう（ステップＳ１８）。
【００３７】
そして、この処理結果は、第３のＨＤＭＩ端子であるＨＤＭＩインタフェース部３１に出力される（ステップＳ１９）。このように、ＨＤＭＩ端子の数に応じて映像合成／切替部を設け、制御部１７で制御することで、同等の作用効果を得ることができる。
【００３８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３９】
【図１】本発明の一実施形態に係る記録再生装置の構成の一例を示すブロック図。
【図２】本発明の一実施形態に係る記録再生装置が有するＨＤＭＩ入力端のコネクタピン配置の一例を示す配置図。
【図３】本発明の一実施形態に係る記録再生装置の処理動作の一例を示すフローチャート。
【図４】本発明の一実施形態に係る記録再生装置の構成の他の一例を示すブロック図。
【図５】本発明の一実施形態に係る記録再生装置の処理動作の他の一例を示すフローチャート。
【符号の説明】
【００４０】
１…記録再生装置、１１…ＨＤＭＩインタフェース部、１２…ＨＤＭＩインタフェース部、１３…映像合成／切替部、１４…映像合成／切替部、１５…映像生成部、１６…ＧＵＩ画御図生成部、１７…制御部、１７−１…ＨＤＭＩ制御信号受信処理部、１７−２…ＨＤＭＩ制御信号受信端子検出処理部、１７−３…映像合成／切替制御処理部、１８…記録部、１９…チューナ部、２０…操作部、２１…第１のリモコン、２２…第２のリモコン、２３…第３のリモコン、２４…第４のリモコン、３１…ＨＤＭＩインタフェース部、３２…映像合成／切替部、Ｔ１…ディスプレイ装置、Ｔ２…ディスプレイ装置、Ｔ３…ディスプレイ装置。
【図１】
2009130541.tif 000003
【図２】
2009130541.tif 000004
【図３】
2009130541.tif 000005
【図４】
2009130541.tif 000006
【図５】
2009130541.tif 000007